(57)【特許請求の範囲】
【請求項１】
糸状、紐状あるいは薄い筒状に加工した人工ケーシング材および／または糸状、紐状あるいは薄い筒状の天然ケーシング材を、単独にまたは組み合わせ、撚りあわせてロープ状体とし、該ロープ状体を撚りが戻らないようにし、ペットの種類や大きさに合わせ予め選択された形状に成形してなることを特徴とするペット用デンタルケア材。
【請求項２】
糸状、紐状あるいは薄い筒状に加工した人工ケーシング材および／または糸状、紐状あるいは薄い筒状の天然ケーシング材を、単独にまたは組み合わせて束ね、その両端あるいは両端および一定間隔で固定した束を、ペットの種類や大きさに合わせ予め選択された形状に成形してなることを特徴とするペット用デンタルケア材。
【請求項３】
前記糸状、紐状あるいは薄い筒状に加工した人工ケーシング材および／または糸状、紐状あるいは薄い筒状の天然ケーシング材を、単独または組み合わせ、撚りあわせてロープ状体としたもの、あるいは束ねたものを、拳状の結び部を設けて固定化することを特徴とする請求の範囲第１項または第２項に記載のペット用デンタルケア材。
【請求項４】
前記糸状、紐状あるいは薄い筒状に加工した人工ケーシング材にその他の糸状あるいは紐状に加工した蛋白質、炭水化物あるいは脂質を組み合わせた加工材料および／または糸状、紐状あるいは薄い筒状の天然ケーシング材にその他の糸状あるいは紐状に加工した蛋白質、炭水化物あるいは脂質を組み合わせた加工材料を、単独にまたは組み合わせて、撚りあわせてロープ状体としたもの、あるいは束ねたものを、拳状の結び部を設けて固定化することを特徴とする請求の範囲第１項ないし第３項のいずれか１項に記載のペット用デンタルケア材。
【請求項５】
請求の範囲第１項ないし第４項のいずれか１項に記載のペット用デンタルケア材を、調味エキスにより嗜好性を向上させることを特徴とするペット用デンタルケア材。
【請求項６】
人工ケーシング材及び／又は天然ケーシング材を糸状、紐状あるいは薄い筒状に加工し、その糸状、紐状あるいは薄い筒状の形態の人工ケーシング材及び／又は天然ケーシング材を単独にまたは組み合わせて撚りあわせてロープ状体とし、該ロープ状体を撚りが戻らないようにし、その後加熱処理し、乾燥することを特徴とするペット用デンタルケア材の製造方法。
【発明の詳細な説明】
技術分野
本発明はペット用デンタルケア材及びその製造方法に関し、詳しくはペットに対し高い嗜好性を有し、ペットがそれを噛むことにより口腔内の食物残渣をとり除くことができる可食性のペット用デンタルケア材及びその製造方法に関するものである。
背景技術
従来より、犬などのペットの歯を保護するために、歯に付着した歯垢や歯石を除去するためのブラシや除去具が知られている。それらは人がブラシ掛けするものであったり、犬が骨に似たものを遊ぶようにして噛むとかの習性を利用した、いわば玩具のような、犬がそれを噛むことにより歯の汚れを落とす除去具がある。しかし、これらは、ブラシの場合には人が使う必要があり、手間がかかるし、犬が嫌がるときには使えず、また噛む玩具についても犬がすぐに飽きてしまい、その効果が十分ではなかった。
本発明の課題は、上記の問題点を解決し、ペットが簡単に飲み込んでしまうことがなく、くわえ易く、噛み易い、かつペットに対する高い嗜好性を有し、噛み回数が数十回以上で１００回近く或いはそれ以上の多数回にも及び、従って食物の残渣が除去されて歯垢付着が予防され、またこれらによって歯石の形成を予防すること、歯茎のマッサージを十分に行なうことができ、それによって歯の劣化を防止しその健全性が維持できるペット用デンタルケア材を提供することにある。
さらに、本発明は、前記の課題を達成できるペット用デンタルケア材の微生物が繁殖しがたいものを製造する方法を提供することを課題の一つとするものである。
発明の開示
本発明者らは鋭意検討した結果、本発明の前記課題を達成し得る下記のようなペット用デンタルケア材及びその手段を提供することができた。
（１）糸状、紐状あるいは薄い筒状に加工した人工ケーシング材および／または糸状、紐状あるいは薄い筒状の天然ケーシング材を、単独にまたは組み合わせて、撚りあわせロープ状体とし、該ロープ状体を撚りが戻らないようにし、ペットの種類や大きさに合わせ予め選択された形状に成形してなることを特徴とするペット用デンタルケア材。
（２）糸状、紐状あるいは薄い筒状に加工した人工ケーシング材および／または糸状、紐状あるいは薄い筒状の天然ケーシング材を、単独にまたは組み合わせて束ね、その両端あるいは両端および一定間隔で固定した束を、ペットの種類や大きさに合わせ予め選択された形状に成形してなることを特徴とするペット用デンタルケア材。
（３）前記糸状、紐状あるいは薄い筒状に加工した人工ケーシング材および／または糸状、紐状あるいは薄い筒状の天然ケーシング材を、単独または組み合わせ、撚りあわせてロープ状体としたもの、あるいは束ねたものを、拳状の結び部を設けて固定化することを特徴とする前記（１）または（２）に記載のペット用デンタルケア材。
（４）前記糸状、紐状あるいは薄い筒状に加工した人工ケーシング材にその他の糸状あるいは紐状に加工した蛋白質、炭水化物あるいは脂質を組み合わせた加工材料および／または糸状、紐状あるいは薄い筒状の天然ケーシング材にその他の糸状あるいは紐状に加工した蛋白質、炭水化物あるいは脂質を組み合わせた加工材料を、単独にまたは組み合わせて、撚りあわせてロープ状体としたもの、あるいは束ねたものを、拳状の結び部を設けて固定化することを特徴とする前記（１）ないし（３）のいずれかに記載のペット用デンタルケア材。
（５）前記（１）ないし（４）のいずれか１項に記載のペット用デンタルケア材を、調味エキスにより嗜好性を向上させることを特徴とするペット用デンタルケア材。
（６）人工ケーシング材及び／又は天然ケーシング材を糸状、紐状あるいは薄い筒状に加工し、その糸状、紐状あるいは薄い筒状の形態の人工ケーシング材及び／又は天然ケーシング材を単独にまたは組み合わせて撚りあわせてロープ状体とし、該ロープ状体を撚りが戻らないようにし、その後加熱処理し、乾燥することを特徴とするペット用デンタルケア材の製造方法。
本発明のペット用デンタルケア材は、ペットの種類や大きさに合わせ、例えばペットが犬であれば、犬の種類や大きさに合わせて、デンタルケア材のロープ状体の太さと、通常付属せしめるロープ状体の両端の拳状の結び目の間の間隔を、犬がくわえ易く、噛み易く、かつ簡単に飲み込んでしまうことがないようにする。ペットの種類が猫であっても同様の配慮をする。
また、本発明のペット用デンタルケア材は、糸状、紐状あるいは薄い筒状の人工あるいは天然のケーシング材を一旦紐状体に撚りあわせてから、該紐状体を撚り合わせあるいは束ねてロープ状体などとし、その際撚りが戻らないようにし、ペットの種類や大きさに合わせ予め選択された形状に成形しても良い。
前記紐状体とは、紐状のものを捻じったり、撚りあわせたもの、薄いチューブ状のものを撚ったもの、糸状、綿状のものを束ねたり、さらに撚り合わせたものをいうものである。
本発明でいうケーシング材とは、例えばハムやソーセージなどの外皮に使用されるものが挙げられる。また、本発明でいう人工ケーシング材とは、例えばコラーゲンを原料とし、コラーゲンを機械的および化学的処理によってペースト化し、該ペーストを糸状、紐状あるいは薄い筒状に成形し、該成形物を乾燥したものである。従って、一般に言うソーセージ等の詰め物に使用する筒状体だけではなく、ロープ状あるいは束ねて使用できる形状であればよい。また、必要により構成するコラーゲン分子間を架橋して強度と弾性を強化しても良い。
なお、前記においてケーシング材としては、コラーゲンを原料とする場合を例に挙げたが、その原料としてはコラーゲンが１００％であるものだけをいうのではなく、その原料の中に他の蛋白質や繊維分やその他の成分が含まれていてもよい。
ここで、人工ケーシング材および天然ケーシング材を例示すると以下のようなものが挙げられる。ただし、本発明のケーシング材は以下の例によって制限されるものではない。
天然ケーシング材としては、牛の腸（皮）、豚の腸（皮）、羊の腸（皮）、鶏の腸（皮）、その他食用の動物の腸（皮）等が挙げられる。
（１）動物性原料
油脂類：例えば、牛脂、豚脂、羊脂、鶏脂；魚介類：例えば、鱶、鯛、鯵、鰯、甘鯛など魚類の肉、皮、及び臓器；海老、蟹など甲殻類の肉、殻、帆立、アサリなど貝類の肉、殻；獣鳥鶏肉類：例えば、牛、豚、馬、羊、鶏、鯨などの肉、皮、臓器、腱及び髭；卵類：例えば、鶏、ウズラなど卵類の黄身、白身、殻；乳類：例えば、牛、羊、山羊などの乳である。
これらの原料から、機械的および化学的処理によってキチン、キトサン、コラーゲン、ゼラチン、膠、カゼインなどとして抽出したものをペースト化し、該ペーストを薄いテープ状やチューブ状に成形し、成形されたチューブ状体を乾燥して代用人工ケーシング材とされる。また、必要により構成する成分を酵素、例えばトランスグルタミナーゼや化学的処理によって分子間を架橋し、強度と弾性を強化しても良い。
また、牛、豚、馬の皮は糸状にスリットして使用することができる。また、前記ペーストを薄いテープ状やチューブ状に成形した時、それ自身では機械的強度がないものは、他の機械的強度の十分な材料と組み合わせて使用することができる。
（２）植物性原料
穀類：例えば、粟、エン麦、大麦、小麦、米、ソバ、トウモロコシなどの穀類；芋及び澱粉類：例えば、サツマイモ、こんにゃく芋、里芋、ジャガイモなどの芋類；豆類：例えば、大豆、小豆、えんどう豆などの豆類；野菜類：例えば、かんぴょう、芋茎、ふき、へちまなどの野菜類、その繊維；藻類：例えば、コンブ、テングサなどの藻類；キノコ類：例えば、椎茸、マッシュルームなどキノコ類である。
これら原料から、機械的および化学的処理によってスパゲッティ、マカロニ、グルテン、春雨、豆乳、湯葉、セルロースなどの加工品や抽出物とし、抽出物はペースト化し、ペーストとチューブ状に成形し、成形されたチューブ状体を乾燥して代用人工ケーシング材とされる。本発明においては、このようにして得られたセルロースは強度的にも嗜好的にも劣り代用人工ケーシング材として単独で使用されることはない。また、前記ペーストを薄いテープ状やチューブ状に成形した時、それ自身では機械的強度がないものは、他の機械的強度の十分な材料と組み合わせて使用することができる。
前記の植物性原料は、主として炭水化物や蛋白質を含有するものであるが、喫食上に問題がないものならば用いてもよい。
本発明のペット用デンタルケア材において、犬などペットによって噛まれる部分は、糸状のケーシング材を撚り合わせて直接ロープ状とするか、または紐状にし、この撚り合わせた紐状のものをさらに束ねるか、さらに撚りあわせてロープ状にした部分である。
本発明において、好ましく使用される人工ケーシング材は、前記のようにコラーゲンをペースト化し、該ペーストを紐状やチューブ状に成形したものであり、この薄い紐状やチューブ状の成形品を撚り合わせて紐状に加工し、この撚り合わた紐状のものをさらに重ねて束ねるか、さらに撚りあわせてロープ状としたものである。天然のケーシング材である豚の腸や羊の腸は、前記人工ケーシング材と同様にして加工することができる。勿論人工ケーシング材や天然のケーシング材は、スリット加工して糸状とし、撚り合わせて紐状に加工し、この撚り合わせた紐状のものをさらに重ねて束ねるか、さらに撚りあわせてロープ状としても良い。
前記した牛、豚、馬の皮を糸状にスリットしたものは、撚り合わせて紐状にし、この撚り合わせた紐状のものをさらに重ねて束ねるか、さらに撚りあわせてロープ状にして使用する。その際、撚りが戻らないようにする。
ロープ状に加工したものは、撚りが戻らないように両端（場合によっては中間部）を可食性の糸あるいは紐で結んだり、編んだり、固着したりなどして固定化する。その他固定化の一対のヒヅメ状の可食性の止め具、可食性挟持具による方法としては公知の方法が使用できる。
固定化の手段としては、他に接着剤により接着する方法や加熱して溶着させるためのヒートシール、高周波溶着などの各種方法を用いることができる。図４にヒートシール接着部８、図５に高周波溶着部９を示す。
本発明のペット用デンタルケア材のロープ状部分の撚り具合は、ペットが噛んだ時、歯が糸状あるいは紐状をしたロープ構成材の中に十分入り、歯茎の部分がロープ状部分の表層に達することができるような撚り具合であることが望ましい。
本デンタルケア材は、ペットがデンタルケア材を噛んだとき、前に食べた食品の食べかすの除去や、歯垢付着の予防などが達せられる。一般の硬い牛の皮などで造られたデンタルガムなどでは、噛んでも歯の先端しかデンタルガムに当たらず、歯茎などへのマッサージ効果や歯垢付着予防効果は得られず、また嗜好性も悪い。
本発明のペット用デンタルケア材の好ましい態様は、少なくともデンタルケア材のロープ状部分にペットの嗜好物を保持させて、デンタルケア材のペットに対してより一層の嗜好性（喫食性）を高めることである。
本発明のペット用デンタルケア材のペットに対する嗜好性を高める方法としては、その少なくとも一部に調味エキスを保持させる方法があり、その場合ペットが好む味や香りをもつ調味エキス、例えばビーフエキス、ポークエキス、チキンエキスや、その調合物を十分に保持させて乾燥する方法がある。あるいは、デンタルケア材を加工する際に、人工ケーシング材および天然ケーシング材の中に嗜好物をいれて紐に撚り合わせる、あるいは紐に撚り合わせる際に撚りの間に嗜好物を保持させ、ロープ状にまとめて乾燥するなどの方法を挙げることができる。
さらにまた、本発明のペット用デンタルケア材のロープ状部分に虫歯予防に有効なフッ素化合物を有効量含浸させておけば、唾液と共に歯に作用して歯の劣化を防止する作用を持たせることができる。その他、口腔用の治療薬などの少量（予防薬程度）や防腐剤を含有させることができる。
本発明のペット用デンタルケア材の固定が両端でロープを結んで繊維の束を固定する方法である時は、ロープの少なくとも一部に調味エキスや嗜好物を保持させておくのが好ましい。
前記のようにしてペット用デンタルケア材を製造した際には、所望の長さに裁断し、水分を必要以上に含む場合は加熱処理をしてから乾燥することが最も適切である。加熱処理の方法としては加湿下加熱や一般的な加熱のどちらでも良い。前記の調味エキスや嗜好物を保持させる際には、エキス等の含浸の操作が行われるので、乾燥処理して、保存中に微生物が繁殖するのを防ぐことが、衛生的にも好ましい。
また、これらの加熱処理によりロープ状デンタルケア材が収縮し、より太く、強固な性状を呈し、デンタルケア材として、より好ましい状態となる。
本発明のペット用デンタルケア材の形態としては、従来知られたようなロープ状のものが一般的であるが、その他種々の形態を取ることができる。
例えば、図１や図２に示す形態の他、図６に示すような、人工ケーシング材を撚り合わせた紐状体をさらに撚り合わせものを両端を近づけてリング状体１０とし、両端を並べて固定材で固定したもの、或いは図７に示すように、図７のリング状体を２つ組合せて、一方のリング状体の輪が他方のリング状体の輪に通るようにからんでいるものとすることができる。
【図面の簡単な説明】
図１は、人工ケーシング材を撚り合わせて紐状にしたものの外観図を示す。図２は、人工ケーシング材を撚り合わせた紐状体をさらに撚り合わせ、両端を結んだロープ状体の外観図を示す。図３は、牛の皮を細くスライスして得た糸状体を重ね合わせ、一定間隔で固定した束の外観図を示す。図４は、人工ケーシング材を撚り合わせた紐状体をさらに撚り合わせ、両端をヒートシールにより接着したロープ状体の外観図を示す。図５は、人工ケーシング材を撚り合わせた紐状体をさらに撚り合わせ、両端を高周波溶着により接着したロープ状体の外観図を示す。図６は、人工ケーシング材を撚り合わせた紐状体をさらに撚り合わせものを円形にして両端を近づけ、両端の部分を固定材で固定してリング状体としたものの外観図を示す。図７は、図６のリング状体を２つ組合せて、一方のリング状体の輪が他方のリング状体の輪の中を通っているものの外観図を示す。図中の符号は以下の通りである。１…人工ケーシング材、２…紐状体、３…固定材、４…糸状体、５…ペット用デンタルケア材、６…結び部分、７…束、８…ヒートシール接着部、９…高周波溶着部、１０…リング状体
発明を実施するための最良の形態
以下に実施例により本発明を具体的に説明する。ただし、本発明はこの実施例のみに限定されるものではない。
実施例１
ペット用デンタルケア材▲１▼
牛の骨から抽出したコラーゲンをペースト化し、該ペーストをチューブ状に成形して人工ケーシング材とする。成形した人工ケーシング材１を撚り合わせ、両端を固定材３で固定して図１に示すような紐状体２にする。紐状体２をさらに撚り合わせて、図２に示すような両端に結び部分６を有するロープ状のペット用デンタルケア材５を得た。
実施例２
ペット用デンタルケア材▲２▼
牛の腸からの天然ケーシング材を撚り合わせて薄板状にする。薄板状体をさらに撚り合わせて、両端に結び部分を有するロープ状のペット用デンタルケア材を得た。（以下、特に断らない限り外観は図１に類似したものである。）
実施例３
ペット用デンタルケア材▲３▼
牛の皮を細くスライスして得た糸状体４を重ね合わせ、一定の間隔に図３に示すように固定材３で一定間隔に固定して束７にする。予め調合したビーフ及びポーク風味の調味エキスの中に前記束にしたものを１５秒〜３０秒間浸漬し、調味エキスから引出し充分乾燥する。調味エキスを充分吸収した束をさらに撚り合わせて、両端に結び部分を有するロープ状のペット用デンタルケア材を得た。
実施例４
ペット用デンタルケア材▲４▼
牛の骨から抽出したコラーゲンをペースト化し、該ペーストをチューブ状に成形して人工ケーシング材とする。この人工ケーシング材４本分を撚り合わせて紐状体にする。前記紐状体３本をさらに撚り合わせて、両端に結び部分を有するロープ状のペット用デンタルケア材を得た。
実施例５
ペット用デンタルケア材▲５▼
牛の骨から抽出したコラーゲンをペースト化し、該ペーストをチューブ状に成形して人工ケーシング材とする。この人工ケーシング材を春雨とともに撚り合わせて紐状体にする。前記紐状体をさらに撚り合わせて、両端に結ぶ部分を有するロープ状のペット用デンタルケア材を得た。
実施例６
ペット用デンタルケア材▲６▼
ヘチマを処理して、糸状体のものにほぐし、糸状体のものを乾燥し、撚り合わせて紐状にする。予め調合したビーフ及びポーク風味の調味エキスの中に前記紐状体を１５秒〜３０秒間浸漬し、調味エキスから引出し充分乾燥する。調味エキスを充分吸収した紐状体をさらに撚り合わせて、両端に結び部分を有するロープ状のペット用デンタルケア材を得た。
実施例１〜６のペット用デンタルケア材およびそれぞれ市販されているａ．綿糸をロープ状に束ね、骨に似せて両端を結んだもの、ｂ．ミルクカゼインを主原料とした骨状の練合物、ｃ．トウモロコシを原料とした骨形成形物を、実際に犬に与えることによりその嗜好性や食物残渣の除去作用などを試験した結果を第１表に示す。
0003776938.tif 000002
試験方法：
供試犬に普通に食餌を与えた後、該供試犬の口腔内を観察し、食物の残渣の存在状体を確認する。続いて検体である前記▲１▼〜▲６▼のデンタルケア材、比較例１（市販のａ）、比較例２（市販のｂ）、比較例３（市販のｃ）と投与した。
投与後、一定時間供試犬が検体を噛む状態、該供試犬の口腔内の観察、食物の残渣の存在状体を検体投与前の状体と比較して、食物の残渣の除去性（率）を求めた。
評価基準：
0003776938.tif 000003
実施例７〜１６
原料、製縄方法、デンタルケア材の長さ、両端の結束手段などを違えた場合の差異をみるために、次の製造工程からなる製造方法を採用し、各製造工程において２種又は３種の条件を設定し、種々の組合せにおいて本ペット用デンタルケア材を製造した。
その製造方法と各製造工程を次に示す。
0003776938.tif 000004
前記した各工程の条件を組み合わせて実施例７〜１６の計１０種を製造した。また、それにより得られるこれらのペット用デンタルケア材も用いて、嗜好性、咀しゃく回数、口腔内残渣除去性及び噛みやすさの評価を行った。
各工程の条件の組み合わせについては第２表に示し、また実施例７〜１６についてのそれぞれの評価については第３表に示す。評価基準は第１表の場合と同様である。
前記の製造方法において、最後の乾燥工程を終了したものについてその水分活性を測定したところ、いずれも０．４〜０．６の範囲にあり、微生物の繁殖困難な結果となり、保存性の高いペット用デンタルケア材であった。ただし、水分活性が高く微生物の繁殖の可能性があるものであっても、耐熱性袋に収納した後、レトルトすれば（１２０℃、２０分）保存し得る状態となる。
0003776938.tif 000005
0003776938.tif 000006
実施例１７〜２０
第４表に示す処方により人工ケーシング材を形成し、それを用いて次のようにしてペット用デンタルケア材を作製した。
ゼラチンを加温溶解し、カルシウムゼオライト等の原料を添加混合して、約５０℃で、１時間酵素反応を行い、８０℃で２時間乾燥した後、紐状に成形した。それをより合わせ、両端を結び、長さが約１５ｃｍで、直径約８ｍｍのロープ状のペット用デンタルケア材を作製した。
実施例２１〜２４
前記実施例１７〜２０と同じ処方及び作製手段により、長さが約１５ｃｍで、４種の直径約８ｍｍのロープ状のペット用デンタルケア材を作製した。
0003776938.tif 000007
実施例２５
第５表に示す処方により人工ケーシング材を形成し、それを用いて次のようにしてペット用デンタルケア材を作製した。
ゼラチンを加温溶解し、加温したカップリングシュガーと混合し、全粉乳と５０％クエン酸溶液を加え、テープ状に成形した。それをより合わせ、両端を結び、長さが約１５ｃｍで、直径約８ｍｍのロープ状のペット用デンタルケア材を作製した。
0003776938.tif 000008
（試験方法）
前記実施例１７〜２５により得られたサンプルについて、供試犬について、噛み回数、噛む時間、嗜好性を調べた。評価基準は下記に示すとおりである。それらに基づいて総合評価をした。総合評価は第１表の場合と同様である。その試験結果については第６表に示す。
評価基準：
0003776938.tif 000009
0003776938.tif 000010
実施例２６
１）サンプル調製方法
綿糸を撚りあわせてロープ状にし、両端を束ねた市販品（直径１７×長さ１５０ｍｍ）を調味液（ビーフエキス５％、ポークエキス３％）で含浸させ、８５℃で９０分乾燥した比較品と、コラーゲンを紐状に加工し、撚りあわせてロープ状にし、加熱処理後、比較品と同じ調味液を含浸させ、８５℃で９０分乾燥した本発明品を作製した。
２）試験方法
比較品と本発明品とを同時に与え、嗜好性、噛み回数、衛生面、安全性等を比較した。
３）供試犬
▲１▼♂  体重１０ｋｇ、年齢  ５才
▲２▼♀  体重  ３ｋｇ、年齢１０才
４）試験結果
試験の結果は第７表に示す。
0003776938.tif 000011
５）考察
比較品と本発明品を比較した時、同じ調味液を含浸しているのに、嗜好性は本発明品の方が良好だった。これはサンプルの噛み易さや原料自体の喫食性とも関連していると思われる。
噛み回数では、比較品は口元に持って行くくとくわえるが、噛むという行為をしなかったり（供試犬▲１▼）、市販品の中で最も小さいサイズを与えたにもかかわらずサンプルの大きさが適当でなく噛まなかった（供試犬▲２▼）。
今回の試験では、本発明品の方が嗜好性が高く、噛み易さ、衛生面、安全性においても優れている。
産業上の利用可能性
本発明のペット用デンタルケア材は、人工ケーシング材や天然のケーシング材その他牛皮、豚皮などを糸状や紐状に加工し、紐状体をさらに撚り合わせてロープ状体のものにするか束ねて固定化して製造したものであって、ペットがくわえ易く、噛み易く、かつ簡単に飲み込んでしまうことがないような初期形状と大きさのものとして使用されるので、ペットは本発明のペット用デンタルケア材を数十回以上で１００回近く或いはそれ以上も噛むことになる。このようにペットがロープ状体の部分を噛むことによってロープ状体の表層部分が、ペットの歯茎にまで達する状態となり、そのためペットの口腔には食物の残渣がなくなり、歯垢付着が予防できると共に、歯茎のマッサージができるという効果が生じ、ペットの歯を健全に保つことに寄与する。
さらに、本発明のペット用デンタルケア材のロープ状体の部分にフッ素化合物を含浸させれば、これが唾液と共に歯に作用して歯の劣化を防止するので、ペットの口腔治療を目的とした噛み玩具とすることも可能である。また飲み込んでしまった場合でも、食餌成分よりなることから安全である。さらに、ケーシング材として使用し得るコラーゲンは体内に取り込まれた後、消化されて骨の形成や皮膚の老化防止等、栄養的側面からもペットの健康に貢献できる。また、ダイエット効果もあることが知られている。
【図１】
0003776938.tif 000012
【図２】
0003776938.tif 000013
【図３】
0003776938.tif 000014
【図４】
0003776938.tif 000015
【図５】
0003776938.tif 000016
【図６】
0003776938.tif 000017
【図７】
0003776938.tif 000018